(57)【要約】【課題】ベッド横の頭側にも足元側にも必要最低限のスペースで置けるスクリーン構造を提供する。【解決手段】上記問題を解決すべく、２つの面からなるスクリーンで、２つの面の横幅に差があり上下対称であるスクリーン構造とした。これにより、従来のように９０°回転するのでなく、スクリーンを上下逆に置くことで、ベッド横の頭側にも足元側にも置ける構造としたことで、最小スペースのスクリーンを提供できた。前記スクリーンは、２つの面の側端縁同士を蝶番などの連結手段で連結すれば、折畳むことで収納スペースを小さくできる。スクリーンの幅の長い面に横板を設けることで、幅の長い面の側端縁付近の使い易い膝横に紙巻器などを取付けることができ、さらにスクリーンを折畳んだときにも、紙巻器などがスクリーンの面と面の間に挟まれることがなく、コンパクトに収納できる。【選択図】　図１
2004097579.tif 000002
【特許請求の範囲】
【請求項１】
２つの面の側端縁同士を蝶番などの連結手段で連結した２つの面からなるスクリーンで、２つの面の横幅に差があり、かつ各々の面が上下対称であることを特徴とするスクリーンの構造。
【請求項２】
前記スクリーンには、横板を組付けることで、紙巻器、タオル掛けなどのトイレ用小物も取付けられることを特徴とする請求項１に記載のスクリーンの構造。
【発明の詳細な説明】
【０００１】
【発明の属する技術分野】
本発明は、ベッドの脇に置いたポータブルトイレを使用中に視界を遮るための必要最小限の大きさのスクリーンに関する。
【０００２】
【従来の技術】
従来は、スクリーンの２つの面の横幅を同じにすることで、ベッド横の頭側へ置く場合と足元側へ置く場合の両方に対応していた。
【０００３】
なお、本願発明は、先行技術調査を行うことなく公知・公用の技術をもとに開発されたものであり、出願人が知っている先行技術は文献公知発明に係るものでは無い。
【０００４】
【発明が解決しようとする課題】
スクリーンはポータブルトイレに人が座った状態を囲い見えないようにするものである。ポータブルトイレに座った状態において、背中側に接するスクリーンの必要幅は腰の幅と若干の余地があれば十分である。それに対して側面からは見えやすいので膝まで隠れる十分な長さが必要である。したがってポータブルトイレに座った状態で前後方向が長く、左右方向はこれより短い寸法であるのが好ましい。
【０００５】
しかしながら、従来のスクリーンでは２つの面の横幅をポータブルトイレに座った状態で膝まで隠れる長さに合わせて同じにしているため、ポータブルトイレの背面側の横幅は必要以上のスペースを取ることとなる。このため、間取りによっては、希望の位置に置けないなどの問題が発生する。
【０００６】
従来のスクリーンについて詳細に説明する。ベッド横にポータブルトイレを置く場合、部屋の間取り等の都合や使用者の好みで、ポータブルトイレを頭側へ置く場合と足元側に置く場合に分かれる。これに伴い、ポータブルトイレを囲むスクリーンも頭側または足元側に置かれる。ポータブルトイレに座った状態で側面からの視界を遮るためには、ひざまでが隠れる横幅のスクリーン面が必要である。
【０００７】
スクリーンが上下対称で、スクリーンの横幅が異なる場合には、スクリーンを上下逆にすることでベッドの長手方向に直角の方向に短い横幅を配置するすれば良い。しかしながら従来技術のスクリーンは上下対称でないため、上下を逆にすることはできない。したがってスクリーンを９０°回転させてポータブルトイレの側面と背面を隠さざるを得ず、そのためにはスクリーンの２つの面の横幅がポータブルトイレに座った状態で膝までが隠れる横幅が必要であった。　また、従来のスクリーンは２つの面の横幅が同じなので折畳んだ時、スクリーンの側端縁同士が完全に合わさるため、スクリーンに小物を取付けて収納する場合、片面の側端縁付近に取り付けた小物が他面と挟まるとの問題も発生する。
【０００８】
そこで、本発明者は、スクリーンの２つの面の横幅を異なった寸法にすることで、最低限の大きさとし、間取りの影響を受けず、希望の場所に置けるようにした。
【０００９】
しかしながら、２つの面の横幅を異なった寸法にすると、従来のように９０°回転させるだけでは、ベッド横の頭側には置けるが、足元側では横幅が長い面がベッドの長手方向に直角になるため、ベッド横のスペースが不足して置けないとの問題が発生する。
【００１０】
そこで、本発明では、上記の問題点に鑑みて、スクリーンの２つの面の横幅を異なった寸法にすることで、必要最低限のスペースにすると共に、ベッド横の頭側にも足元側にも置けるスクリーン構造を提供することを目的とする。
【００１１】
【課題を解決するための手段及びその作用・効果】
上記問題を解決すべく、本発明の請求項１では、２つの面の側端縁同士を蝶番などの連結手段で連結した２つの面からなるスクリーンで、２つの面の横幅に差がありそれぞれの面が上下対称であるスクリーン構造とした。
【００１２】
これにより、従来のように９０°回転するのでなく、スクリーンを上下逆にすることで、ベッド横の頭側にも足元側にも置ける構造としたことで、最小スペースのスクリーンを提供できた。
【００１３】
前記スクリーンは、２つの面の側端縁同士を蝶番などの連結手段で連結することとした。
【００１４】
これにより、折畳むことで収納スペースを小さくできる。
【００１５】
本発明の請求項２では、スクリーンの横幅の長い面に横板を設けた。
【００１６】
これにより、横幅の長い面の側端縁付近の使い易い膝横に紙巻器などを取付けることができ、さらにスクリーンを折畳んだときにも、紙巻器などがスクリーンの面と面の間に挟まれることがなく、コンパクトに収納できる。
【００１７】
【発明の実施の形態】
本発明の一実施の形態であるスクリーンの構造について以下に説明する。　図３のとおり、スクリーン１は短幅面１Ａと長幅面１Ｂを持ち、それぞれの面が上下を対称としている。これを図１のようにベッド３の頭側にスクリーン１を置くと、短幅面１Ａがポータブルトイレ２の背中側になり、長幅面１Ｂがポータブルトイレ２の側面になる。人が座った場合ポータブルトイレ２の前面に出る膝を十分に隠せるほど長い横幅の面を持つと共に、背中側は最低限度の短い横幅の面を持つスクリーンが確保できる。
【００１８】
また、図２のように、ベッド３の足元側にスクリーン１を置く場合、上記の状態からスクリーンの上下を反転させることで、ポータブルトイレ２の背中側が短幅面、側面側が長幅面にできる。　以上のとおり、スクリーンを最小スペースでベッド横の頭側にも足元側にも置くことが可能となる。
【００１９】
スクリーンの２つの面は蝶番を付けて折畳めるようにしても良いし、直角に固定できる連結手段で連結しても良い。あるいは蝶番を付けた状態で、スクリーンの２つの面が直角になるように取り外し可能な固定板で２面同士を固定しても良い。
【００２０】
スクリーンは床に直に置いても良いし、床に置いた複数の固定足の溝にスクリーンを嵌め込むように立てても良い。固定足は別体でも良いし、スクリーンに一体に取り付けても良い。固定足はスクリーンの全幅を嵌め込める長さでも良いし、スクリーンの両端と中央部の３点に短い固定足を置いてスクリーンを立てても良い。中央部に置く固定足は２枚のスクリーンの境に置いて、２枚のスクリーンを直角に固定できるようなものでも良い。
【００２１】
図４のとおりスクリーン１に紙巻器やタオル掛けなどのトイレ用小物を取り付けられる幅と長さを有する横板１Ｃを入れることで、横板にトイレ用小物が取付けられ、さらに、図５のとおり、折畳んだ状態で、幅の短い面がトイレ用小物に当ることなく、コンパクトに収納できる。
【００２２】
【発明の効果】
以上により、最小スペースで、かつベッド横の頭側にも足元側にも置けるスクリーン構造を提供することができる。
さらに、スクリーンの２つの面の横幅を異なったものにすることで、幅の長い面の側端縁付近に紙巻器などを取付けできる。さらに折畳んだ時紙巻器などと短い面側が当らずにコンパクトに収まるスクリーン構造を提供することができる。
【図面の簡単な説明】
【図１】スクリーンをベッド横の頭側に置いた場合の構成を示す。
【図２】スクリーンをベッド横の足元側に置いた場合の構成を示す。
【図３】本件発明の一実施の形態であるスクリーンの構造を示す。
【図４】本件発明の一実施の形態である紙巻器を取付けたスクリーンの構造を示す。
【図５】図４の製品を折畳んだ時の図を示す。
【符号の説明】
１　スクリーン
１Ａ　スクリーン短幅面
１Ｂ　スクリーン長幅面
１Ｃ　横板
２　ポータブルトイレ
３　ベッド
４　紙巻器
５　蝶番
【図１】
2004097579.tif 000003
【図２】
2004097579.tif 000004
【図３】
2004097579.tif 000005
【図４】
2004097579.tif 000006
【図５】
2004097579.tif 000007